(57)【要約】      （修正有）【課題】市販の面板挿入口穴径とストーマ外径との隙間及び面板と腹部との隙間に排便が侵入することを防ぐ排便漏れ防止装具を提供する。【解決手段】面板挿入口穴径とストーマ外径との間に隙間を無くすためのソフトシリコーンスポンジシール（１）を、透明リング（２）に先端部を挿入した状態でストーマに嵌め、上記透明リング（２）を抜きながらソフトシリコーンスポンジシール（１）をストーマ外径に配置し、その後、上記透明リング（２）の外径をガイドにしてストーマを面板に挿入した後、透明リング（２）を抜き取り、さらに、ソフトシリコーンスポンジシール（１）の外周に輪ゴム（３）を嵌めて、スト−マ装具面板の挿入口にソフトシリコーンスポンジ（１）によるクッションを設けた排便洩れ防止装具とする。【選択図】図１
2015000327.tif 000002
【特許請求の範囲】
【請求項１】
スト−マ装具面板の挿入口にクッションを設ける、以上の構成によりなる排便洩れ防止装具。
【発明の詳細な説明】
【技術分野】
【０００１】この発明は、スト−マ保有者が使用する一般市販面板とスト−マ異形径の隙間から排便洩れがおきて常に不安で安心安全の生活が送れない為、不安解消の為の排便洩れ防止装具に関する物である。
【背景技術】
【０００２】従来の排便装具の中の面板とスト−マ異形径による隙間及びぜん動運動でおきる排便洩れに対処する物は市場にはなく粘土で隙間を埋める物がありますが確実に洩れて市場には対処する物はなく、スト−マ保有者は日常生活で常に不安を抱えている。
【発明の開示】
【発明が解決しようとする課題】
【０００３】市販面板は従来、スト−マの大きさに合わせて面板に穴加工された物か自分でスト−マに合わせて穴をハサミで切り取るものが有りますがスト−マの異形等どうしても隙間ができるのと腸のぜん動運動でスト−マ周りのお腹の面が凹凸を繰り返すので凹み状態の時面板取付け面とお腹の面の間に空洞ができるその空洞に排便が侵入すると面板がいずれ剥がれて大変な事態が起きる。空洞を埋める事で排便の侵入を防ぐのにスポンジのクッション力により解決しようとするもので、シリコンスポンジシ−ルの厚みを圧縮して挟む事で排便の進入を塞ぐ事が出来る。無防備な面板構造部に欠点をなくす為になされたものである。
【課題を解決するための手段】
【０００４】シリコンスポンジシ−ル（１）を自分のスト−マ径に応じ挿入口径を少し小さめのものを透明リング（２）に指で広げ先端部に取付け自分のスト−マを目で確認しながらそっと挿入してＥ−断面の“ｂ”矢視部を指で添えて透明リング（２）を抜取りお腹に密着させて肌に優しい接着面をお腹と一体感を持たせる、その後市販面板を挿入して面板全面に圧力を加えシリコンスポンジシ−ル（１）の厚みを圧縮する事で均一に張付けられる。腸のぜん動運動でお腹の面が凹み空洞状態になるとシリコンスポンジシ−ル（１）がお腹の凹みに応じシリコンスポンジのクッション力で連動してふくらみ空洞を埋めてくれ侵入を防ぐ又、凸の状態の場合は取付け面に圧力がかかり尚、密着性が高まるのでシ−ル性が上がる、以上の事から排便の侵入を防ぐ対策が出来る構造からなる、本発明は以上の構成よりなる排便洩れ防止装具である。
【発明の効果】
【０００５】排便洩れの道を塞ぐ事及び腸のぜん動運動で市販面板を取付けた面とお腹の間に出来る空洞をシリコンスポンジの厚みによるクッションを利用してお腹の凹み空洞に応じてスポンジのクッション力が連動して埋めてくれるので面板の裏面に排便の侵入を防ぎ遮断できる構成です。排便は時と場所を選ばずあるので、いかなる状況での排便も気にせず普通人と変わらず安心安全の日常生活を送る事が出来る。
【発明を実施するための最良の形態】
【０００６】以下、本発明を実施するための最良の形態について説明する。
面板のスト−マ挿入口にシリコンスポンジシ−ル（１）を自分のスト−マ径に応じ挿入口径を少し小さめのものを選定してＥ−断面の様に透明リング（２）に指で広げ先端部に取付け自分のスト−マを目で覗き確認しながらそっと挿入する“ｂ”矢視部に指を添えて透明リング（２）を抜取りスト−マの異形径を矯正してはめる、［図３］Ｆ部詳細図の様な状態にする［図１］のＡ部詳細のシリコンスポンジシ−ルの“ａ”の部分三面は軟質シリコンの薄い膜を貼り外面に市販面板と同等の肌に優しい接着剤を塗布させたものをお腹に密着させ張付ける、その後市販面板を挿入して面板全面に圧力を加えシリコンスポンジシ−ル（１）の厚みを均等に圧縮すると透明リングを抜取る、充分に圧縮する事により接着面とお腹に一体感を持たせ、ぜん動運動でお腹の面の動きに応じてお腹が凹み空洞状態になるとシリコンスポンジシ−ル（１）のクッション力によりすかさずふくらみ空洞を埋め侵入を防ぐ又、凸の状態の場合は取付け面に圧力がかかり尚、密着性が高まるのでシ−ル性が上がる。以上の事から排便の侵入を防ぐ対策が出来る構造からなる。［図３］のＤ−断面の様な状態で取付けスト−マの隙間を塞ぐ［図３］のＢ−Ｂ矢視及びＣ−断面のごとく排便の道を塞ぎ又ぜん動運動によるお腹の凹みにより面板とお腹の間に空洞が出来る事を阻止する事で、そこに排便の侵入がおきない様な物にする事でいかなる排便も安心安全の生活が出来る。今までの市販面板のように無防備に排便の侵入を１００％お腹に受けない構造にした排便洩れ装具である。
【図面の簡単な説明】
【０００７】
【図１】  本発明の取付け状態の断面図及び正面図他詳細図である。
【図２】  本発明の製品の斜視図である。
【図３】  本発明の矢視図及び断面図説明用図面である。
【符号の説明】
【０００８】１    シリコンスポンジシ−ル
２    透明リング
【図１】
2015000327.tif 000003
【図２】
2015000327.tif 000004
【図３】
2015000327.tif 000005
【手続補正書】
【提出日】平成25年10月9日(2013.10.9)
【手続補正２】
【補正対象書類名】明細書
【補正対象項目名】０００１
【補正方法】変更
【補正の内容】
【０００１】この発明は、スト−マ保有者が使用する一般市販面板挿入口穴径とスト−マ異形径による隙間及び腸のぜん動運動でおきる変形凹み空洞が原因で排便洩れがおきる。
排便洩れ防止装具に関する物である。
【手続補正３】
【補正対象書類名】明細書
【補正対象項目名】０００２
【補正方法】変更
【補正の内容】
【０００２】従来の排便装具の中で市販面板挿入口径とスト−マ異形径による隙間及び腸のぜん動運動が原因でおきる排便洩れに対処する物は市場には無く粘土で隙間を埋める物が有りますが確実に洩れる。これ以外に対処された物は市場には無い。
【手続補正４】
【補正対象書類名】明細書
【補正対象項目名】０００３
【補正方法】変更
【補正の内容】
【０００３】これは次のような欠点があった。
市販面板は従来、スト−マの大きさに合わせて面板に穴加工された物か自分でスト−マ径に合わせてその都度穴をハサミで切取る物が有りますがスト−マの異形径等でどうしても隙間が出来るのと腸のぜん動運動でスト−マ周りのお腹の面が凹凸を繰り返す中で凹み状態の時に面板取付け面とお腹の間に隙間及び変形凹み空洞が出来る。それが原因で排便洩れが起きる。今までのスト−マ装具の面板は全て無防備で排便の道を塞ぐ考慮はなされていない。無防備なスト−マ装具の面板構造部に欠点があった。
本発明は以上のような欠点をなくす為になされた物である。
【手続補正５】
【補正対象書類名】明細書
【補正対象項目名】０００４
【補正方法】変更
【補正の内容】
【０００４】ソフトシリコ−ンスポンジシ−ル（１）を面板挿入口穴径とスト−マ異形径の間に自分のスト−マ径に応じて挿入口径を少し小さ目の物を選定し透明リング（２）に指で少し広げ先端部に取付け自分のスト−マを傷つけない様に目で確認しながらそっと挿入してＥ−断面の“ｂ”矢視部に指で添えて透明リング（２）を抜取りお腹に最良の位置に配置する、その後市販面板を挿入して面板穴周り全面に圧力を加えソフトシリコ−ンスポンジシ−ル（１）の厚みを圧縮して均等に貼付ける事でお腹と一体感を持たせる事で排便の道を塞ぐ。又腸のぜん動運動でおきるお腹の変形凹み空洞に対してはスポンジの厚みを圧縮した事で変形凹み空洞をスポンジが埋めて隙間を造らせない仕組みである。
本発明は以上の構成よりなる排便洩れ防止装具である。
【手続補正６】
【補正対象書類名】明細書
【補正対象項目名】０００５
【補正方法】変更
【補正の内容】
【０００５】排便洩れの原因は市販面板挿入口穴径とスト−マ異形径との間に隙間が出来る、その排便の道を塞ぐ事及び腸のぜん動運動で市販面板を取付けた面とお腹の間に出来る隙間及び変形凹み空洞に排便の浸入を塞ぐ事が排便洩れの対策である。そこで面板挿入口径とスト−マ異形径との間に自分のスト−マ径より少し小さ目の穴径を選定してソフトシリコ−ンスポンジシ−ルを嵌めるスポンジの表面の繊維質が排便の浸入に滑りを悪くし浸入に抵抗をもたらしてくれる、空洞に対してはお腹の貼付け面に当たる部分のスポンジの厚みを均等に圧縮して面板とお腹の間に挟み接着する事により発生するスポンジのクッションの反発力を応用する、お腹の凹みによる隙間及び変形凹み空洞に同調してソフトシリコ−ンスポンジシ−ルが膨らみ隙間及び変形空洞を埋めてくれるので面板の裏面に排便の侵入を防ぎ遮断できる構成である。これは排便装具の中でツ−ピ−ス、ワンピ−スの種別タイプの区別無く共用出来る利点があり万能向きで便利である。排便は時と場所を選ばずあるのでいかなる状況での排便も気にしないで普通の人と変わらない不安の無い安心安全の日常生活を送る事が出来る。今までの排便装具と変わらず取替えも同じで簡単に使い捨て感覚で使用出来る。
【手続補正７】
【補正対象書類名】明細書
【補正対象項目名】０００６
【補正方法】変更
【補正の内容】
【０００６】以下、本発明を実施するための最良の形態について説明する。
排便装具の市販面板貼付け面とお腹の間に穴のあいたスポンジシ−ルなる物を挟むだけの事で解決しようと考案致しました。スト−マ保有者は日常生活で常に不安な日々を送っている排便洩れは便が硬い時に確実におきる。じわじわとした排便圧力が面板挿入口穴径とスト−マ異形径の隙間からお腹の面に圧力を受けて排出時一揆に面板の接着面とお腹の間に変形凹み空洞をつくりながら浸入して気がつかないうちに面板を剥がしてしまうのが現状です。そこで面板挿入口穴径とスト−マ異形径の間に隙間を無くす為の対策にソフトシリコ−ンスポンジシ−ル（１）を嵌める、スポンジの表面の繊維質が排便の浸入の滑りを悪くして一揆の排便排出の浸入に抵抗をもたらしてくれる、腸のぜん動運動でおきるお腹面の変形凹み空洞に対してはお腹の貼付け面に当たるスポンジ部分の厚みを圧縮して面板とお腹の間に挟み接着する事で発生するスポンジの反発力によるクッション力を応用する。お腹の凹みによる動きが始まるとソフトシリコ−ンスポンジシ−ルが膨らみ同調して隙間及び変形空洞を埋めてくれるので面板の裏面に排便の侵入を受け入れない隙間を造らない遮断できる構成である。一部重複致しますが図中の説明を致します、自分のスト−マ径に応じて挿入口径を少し小さ目のソフトシリコ−ンスポンジシ−ル（１）を選定しておいてＥ−断面の様に透明リング（２）に指で少し広げ先端部に取付け自分のスト−マを傷つけないように目で確認しながらそっと挿入する、“ｂ”矢視部に指を添えて透明リング（２）を抜取りスト−マ異形径を矯正して最良の位置に配置する、［図３］Ｆ−断面図の様な状態です。又［図１］のＡ部詳細のソフトシリコ−ンスポンジシ−ル（１）“ａ”の部分三面は軟質シリコ−ンの薄い膜を貼り外面に市販面板と同等の肌に優しい接着液を塗布させた物としておき最良の位置に配置してその後市販面板を挿入して面板挿入口穴周り全面に圧力を加えソフトシリコ−ンスポンジシ−ル（１）の厚みを均等に圧縮すると透明リング（２）を抜取ります。本図はその状態図です。充分に圧縮する事により接着面とお腹に一体感を持たせる。腸のぜん動運動でスト−マ周りのお腹面の変形凹み空洞に対しても順応してくれて排便の浸入の隙間を造らせず塞ぐ事で洩れを防ぐ仕組みである。逆に凸の状態の場合は取付け面に圧力がかかり、尚密着性が高まるのでシ−ル性が上がる好条件になる。又Ａ部詳細の中でスポンジの“ｃ”の寸法はスト−マとの接触面がある程度長くとる事でスポンジの繊維の表面が抵抗になり一揆の排便も滑りが悪く簡単にお腹面まで浸入させない抵抗体になる。以上の事から排便の浸入を防ぐ対策が出来る構造からなる。又図中の［図３］のＤ−断面の様な状態で取付けてスト−マの隙間を塞ぐ［図３］のＢ−Ｂ矢視及びＣ−断面のごとく排便の道を塞ぎ又腸のぜん動運動によるお腹の凹みにより面板とお腹の間に隙間及び変形凹み空洞が出来る事を阻止する事と、面板の挿入口径とスト−マの異形径との隙間をなくして排便の浸入がおきない様にした説明図である。いかなる排便も気にせず不安の無い安心安全の生活が出来る。又排便袋具取付け方の種別タイプでツ−ピ−ス、ワンピ−スの区別無く共用出来る利点が有り便利。排便袋の取替えも今までのスト−マ装具の使用感覚と変わらず違和感無く面板ごと剥がして使い捨てできる簡単な構造からなる。今現在の市販面板のように無防備に排便の浸入を受け入れない構造にした排便洩れ防止装具である。
【手続補正８】
【補正対象書類名】明細書
【補正対象項目名】０００８
【補正方法】変更
【補正の内容】
【０００８】１      ソフトシリコ−ンスポンジシ−ル
【手続補正１０】
【補正対象書類名】図面
【補正対象項目名】全図
【補正方法】変更
【補正の内容】
【図１】
2015000327.tif 000006
【図２】
2015000327.tif 000007
【図３】
2015000327.tif 000008
【手続補正書】
【提出日】平成25年10月19日(2013.10.19)
【手続補正１】
【補正対象書類名】明細書
【補正対象項目名】０００２
【補正方法】変更
【補正の内容】
【０００２】従来の排便装具の中で市販面板挿入口穴径とスト−マ異形径による隙間及び腸のぜん動運動が原因でおきる排便洩れに対処する物は市場には無く粘土で隙間を埋める物が有りますが確実に洩れる。これ以外にも対処された物は市場には無い。
【手続補正２】
【補正対象書類名】明細書
【補正対象項目名】０００４
【補正方法】変更
【補正の内容】
【０００４】ソフトシリコ−ンスポンジシ−ル（１）を面板挿入口穴径とスト−マ異形径の間に自分のスト−マ径に応じて挿入口径を少し小さ目の物を選定して隙間を塞ぎ透明リング（２）に指で少し広げ先端部に取付け自分のスト−マを傷つけない様に目で確認しながらそっと挿入してＥ−断面の“ｂ”矢視部に指を添えて透明リング（２）を抜取りお腹に最良の位置に配置する、その後市販面板を挿入して面板穴周り全面に圧力を加えソフトシリコンスポンジシ−ル（１）の厚みを圧縮して均等に張付ける事でお腹と一体感を持たせる事で排便の道を塞ぐ。又腸のぜん動運動でおきるお腹の変形凹み空洞に対してスポンジの厚みを圧縮した事で変形凹み空洞をスポンジが埋めて隙間を造らせない仕組みである。
本発明は以上の構成よりなる排便洩れ防止装具である。
【手続補正３】
【補正対象書類名】明細書
【補正対象項目名】０００５
【補正方法】変更
【補正の内容】
【０００５】排便洩れの原因は市販面板挿入口穴径とスト−マ異形径との間に隙間が出来る、その排便の道を塞ぐ事及び腸のぜん動運動で市販面板を取付けた面とお腹の間に出来る隙間及び変形凹み空洞に排便の浸入を塞ぐ事が排便洩れの対策である。そこで面板挿入口径とスト−マ異形径との間に自分のスト−マ径より少し小さ目の穴径を選定してソフトシリコ−ンスポンジシ−ルを嵌めるスポンジの表面の繊維質が排便の浸入に滑りを悪くし浸入に抵抗をもたらしてくれる。空洞に対してはお腹の貼付け面に当たる部分のスポンジの厚みを均等に圧縮して面板とお腹の間に挟み接着する事により発生するスポンジのクッションの反発力を応用するお腹の凹みによる隙間及び変形凹み空洞に同調してソフトシリコ−ンスポンジシ−ルが膨らみ隙間及び変形凹み空洞を埋めてくれるので面板の裏面に排便の侵入を防ぎ遮断できる構成である。これは排便装具の中でツ−ピ−ス、ワンピ−スの種別タイプの区別無く共用出来る利点があり万能向きで便利である。排便は時と場所を選ばずあるのでいかなる状況での排便も気にしないで普通の人と変わらない不安の無い安心安全の日常生活を送る事が出来る。今までの排便装具と変わらず取替えも同じで簡単に使い捨て感覚で使用出来る。
【手続補正４】
【補正対象書類名】明細書
【補正対象項目名】０００６
【補正方法】変更
【補正の内容】
【０００６】以下、本発明を実施するための最良の形態について説明する。
排便装具の市販面板貼付け面とお腹の間に穴のあいたスポンジシ−ルなる物を挟むだけの事で解決しようと考案致しました。スト−マ保有者は日常生活で常に不安な日々を送っている排便洩れは便が硬い時に確実におきる。じわじわとした排便圧力が面板挿入口穴径とスト−マ異形径の隙間からお腹の面に圧力を受けて排出時一揆に面板の接着面とお腹の間に変形凹み空洞をつくりながら浸入して気がつかないうちに面板を剥がしてしまうのが現状です。そこで面板挿入口穴径とスト−マ異形径の間に隙間を無くす為の対策にソフトシリコ−ンスポンジシ−ル（１）を嵌める、スポンジの表面の繊維質が排便の浸入の滑りを悪くして一揆の排便排出の時はスト−マに内圧がかかり外周は膨らみシリコ−ンスポンジシ−ル（１）の内径周上に押付けて排便の浸入に抵抗をもたらしてくれる、腸のぜん動運動でおきるお腹面の変形凹み空洞に対してはお腹の貼付け面に当たるスポンジ部分の厚みを圧縮して面板とお腹の間に挟み接着する事で発生するスポンジの反発力によるクッション力を応用する。お腹の凹みによる動きが始まるとソフトシリコ−ンスポンジシ−ル（１）が膨らみ同調して隙間及び変形凹み空洞を埋めてくれるので面板の裏面に排便の侵入を受け入れない隙間を造らない遮断できる構成である。一部重複致しますが図中の説明を致します、自分のスト−マ径に応じて挿入口径を少し小さ目のソフトシリコ−ンスポンジシ−ル（１）を選定しておいてＥ−断面の様に透明リング（２）に指で少し広げ先端部に取付け自分のスト−マを傷つけないように目で確認しながらそっと挿入する、“ｂ”矢視部に指を添えて透明リング（２）を抜取りスト−マ異形径を矯正して最良の位置に配置する、［図３］Ｆ−断面図の様な状態です。又［図１］のＡ部詳細のソフトシリコ−ンスポンジシ−ル（１）“ａ”の部分三面は軟質シリコ−ンの薄い膜を貼り外面に市販面板と同等の肌に優しい接着液を塗布させた物としておき最良の位置に配置してその後市販面板を挿入して面板挿入口穴周り全面に圧力を加えソフトシリコ−ンスポンジシ−ル（１）の厚みを均等に圧縮すると透明リング（２）を抜取ります。本図はその状態図です。充分に圧縮する事により接着面とお腹に一体感を持たせる。腸のぜん動運動でスト−マ周りのお腹面の変形凹み空洞に対しても順応してくれて排便の浸入の隙間を造らせず塞ぐ事で洩れを防ぐ仕組みである。逆に凸の状態の場合は取付け面に圧力がかかり、尚密着性が高まるのでシ−ル性が上がる好条件になる。又Ａ部詳細の中でスポンジの“ｃ”の寸法はスト−マとの隙間のない接触面がある程度長くとる事でスポンジの繊維の表面が抵抗になり一揆の排便も滑りが悪く簡単にお腹面まで浸入させない抵抗体になる。以上の事から排便の浸入を防ぐ対策が出来る構造からなる。又図中の［図３］のＤ−断面の様な状態で取付けてスト−マの隙間を塞ぐ［図３］のＢ−Ｂ矢視及びＣ−断面のごとく排便の道を塞ぎ又腸のぜん動運動によるお腹の凹みにより面板とお腹の間に隙間及び変形凹み空洞が出来る事を阻止する事と、面板の挿入口径とスト−マの異形径との隙間をなくして排便の浸入がおきない様にした説明図である。いかなる排便も気にせず不安の無い安心安全の生活が出来る。又排便装具取付け方の種別タイプでツ−ピ−ス、ワンピ−スの区別無く共用出来る利点が有り便利。排便袋の取替えも今までのスト−マ装具の使用感覚と変わらず違和感無く面板ごと剥がして使い捨てできる簡単な構造からなる。今現在の市販面板のように無防備に排便の浸入を受け入れない構造にした排便洩れ防止装具である。
【手続補正６】
【補正対象書類名】図面
【補正対象項目名】図３
【補正方法】変更
【補正の内容】
【図３】
2015000327.tif 000009
【手続補正書】
【提出日】平成25年10月25日(2013.10.25)
【手続補正１】
【補正対象書類名】明細書
【補正対象項目名】０００５
【補正方法】変更
【補正の内容】
【０００５】排便洩れの原因は市販面板挿入口穴径とスト−マ異形径との間に隙間が出来る、その排便の道を塞ぐ事及び腸のぜん動運動で市販面板を取付けた面とお腹の間に出来る隙間及び変形凹み空洞に排便の侵入を塞ぐ事が排便洩れの対策である。そこで面板挿入口径とスト−マ異形径との間に自分のスト−マ径より少し小さ目の穴径を選定してソフトシリコ−ンスポンジシ−ルを嵌めるスポンジの表面の繊維質が排便の侵入に滑りを悪くし浸入に抵抗をもたらしてくれる。空洞に対してはお腹の貼付け面に当たる部分のスポンジの厚みを均等に圧縮して面板とお腹の間に挟み接着する事により発生するスポンジのクッションの反発力を応用するお腹の凹みによる隙間及び変形凹み空洞に同調してソフトシリコ−ンスポンジシ−ルが膨らみ隙間及び変形凹み空洞を埋めてくれるので面板の裏面に排便の侵入を防ぎ遮断できる構成である。これは排便装具の中でツ−ピ−ス、ワンピ−スの種別タイプの区分無く共用出来る利点があり万能向きで便利である。排便は時と場所を選ばずあるのでいかなる状況での排便も気にしないで普通の人と変わらない不安の無い安心安全の日常生活を送る事が出来る。今までの排便装具と変わらず取替えも同じで簡単に使い捨て感覚で使用出来るのでさしつかえない。
【手続補正２】
【補正対象書類名】明細書
【補正対象項目名】０００６
【補正方法】変更
【補正の内容】
【０００６】以下、本発明を実施するための最良の形態について説明する。
排便装具の市販面板貼付け面とお腹の間に穴のあいたスポンジシ−ルなる物を挟むだけの事で解決しようと考案致しました。スト−マ保有者は日常生活で常に不安な日々を送っている排便洩れは便が硬い時には確実におきる。じわじわとした排便圧力が面板挿入口穴径とスト−マ異形径との隙間からお腹の面に圧力を受けると同時にぜん動運動でお腹の凹み状態の時に合致した時に一揆に排便があり面板の接着面とお腹面の間に変形凹み空洞をつくりながら浸入して気がつかないうちに面板を剥がしてしまうのが現状です。そこで面板挿入口穴径とスト−マ外径の間に隙間を無くす為の対策にソフトシリコ−ンスポンジシ−ル（１）を嵌める、Ａ部詳細で“ｃ”の寸法はスト−マとの接触面をある程度長くとる事でスポンジの表面の繊維質が排便の浸入の滑りを悪くするのと、一揆の排便排出の時はスト−マ内側に内圧がかかり外周は膨らみシリコ−ンスポンジシ−ル（１）の内径周上に押付けて排便の浸入に抵抗をもたらしてくれるでスト−マの外周部のシ−ル対策が出来る。もうひとつは腸のぜん動運動でおきるお腹面の変形凹み空洞に対してはお腹の貼付け面に当たるスポンジ部分の厚みを圧縮して面板とお腹の間に挟み接着する事でスポンジが発生する反発力によるクッション力を応用する。お腹の凹みによる動きが始まるとソフトシリコ−ンスポンジシ−ル（１）が膨らみ同調して隙間及び変形凹み空洞を埋めていくので面板の裏面に排便の侵入を受け入れない隙間を造らない遮断できる構成である。一部重複しますが図中の説明を致します、自分のスト−マ径に応じて挿入口径を少し小さ目のソフトシリコ−ンスポンジシ−ル（１）を選定しておいてＥ−断面の様に人体に無害のプラスチック性の透明リング（２）に指で少し広げ先端部に取付け自分のスト−マを傷つけないように目で確認しながらそっと挿入する、“ｂ”矢視部に指を添えて透明リング（２）を少し抜取りスト−マ異形径を矯正して最良の位置に配置する、［図３］Ｆ−断面図の様な状態です。［図１］のＡ部詳細のソフトシリコ−ンスポンジシ−ル（１）は“ａ”の部分三面は軟質シリコ−ンの薄い膜を貼り外面に市販面板と同等の肌に優しい接着液を塗布させた物としておきます、配置した後には透明リング（２）の外形をガイドにして面板を挿入したら面板挿入口穴周り全面に圧力を加えソフトシリコ−ンスポンジシ−ル（１）の厚みを均等に圧縮すると透明リング（２）を抜取ります。充分に圧縮する事により接着面とお腹に一体感を持たせる事が、お腹面の変形凹み空洞に対しても順応してくれて排便の浸入の隙間を造らないで塞ぐ事が出来て、洩れを防ぐ仕組みが出来る。逆に凸の状態の場合は取付け面に圧力がかかり尚密着性が高まるのでシ−ル性が上がる好条件になから心配の無い構造である。図中の［図３］のＤ−断面の上半分の図の様な状態です。［図３］のＢ−Ｂ矢視及びＣ−断面のごとく排便の道を塞ぎ又腸のぜん動運動によるお腹の凹みにより面板とお腹の間に隙間及び変形凹み空洞が出来る事を阻止する事と、面板の挿入口穴径とスト−マ異形径との隙間を無くして排便の浸入がおきない様にした状態の説明図である。念の為にソフトシリコ−ンスポンジシ−ル（１）の根っこに軽く絞まる程度の輪ゴム（３）を嵌めることでいかなる排便も気にせず不安の無い安心安全の生活が出来る。今までの市販面板の様に無防備に排便の浸入を受け入れない構造にした排便洩れ防止装具である。又排便袋取付け方の種別タイプでツ−ピ−ス、ワンピ−スも区別無く共用できるのでストーマ保有者全ての人に対応出来る利点が有る。毎日の行動の中で幅広い面で普通の人と変わらない不安の無い安心安全な日常生活を送る事が出来る。排便袋の取替えも今までのスト−マ装具の使用感覚と変わらず違和感無く面板ごと剥がして使い捨てできる簡単な構造からなる。今現在の市販面板のように無防備に排便の浸入を受け入れない構造にした排便洩れ防止装具である。
【手続補正３】
【補正対象書類名】明細書
【補正対象項目名】０００８
【補正方法】変更
【補正の内容】
【０００８】  ３    輪ゴム
【手続補正５】
【補正対象書類名】図面
【補正対象項目名】全図
【補正方法】変更
【補正の内容】
【図１】
2015000327.tif 000010
【図２】
2015000327.tif 000011
【図３】
2015000327.tif 000012
【手続補正書】
【提出日】平成26年1月18日(2014.1.18)
【手続補正１】
【補正対象書類名】特許請求の範囲
【補正対象項目名】請求項１
【補正方法】変更
【補正の内容】
【請求項１】
ストーマ装具面板の挿入口部にソフトシリコーンスポンジシール（１）を設ける、位置決め用の透明リング（２）を設ける、以上の構成によりなる排便洩れ防止装具。